(57)【要約】【課題】屋内全体を循環する新鮮な空気とともに、マイナスイオンを循環させ快適な戸建て健康住宅を提供する。【解決手段】居室部と屋根裏空間部と床下空間部とを備えた住宅において、熱交換器と吸気手段と排気手段とからなるシステム換気装置を備えており、排気手段における外気の吹出口にマイナスイオン発生装置のイオン化針を配設したことを特徴とする。このように、システム換気装置にマイナスイオン発生装置を組み込むことによって、発生したマイナスイオンを効率よく分散させることができ、館全体のイオンバランスを整えることができる。マイナスイオン発生装置のイオン化針は、選択された吹出口にのみ配設してもよいし吹出口の全部に配設してもよい。【選択図】　　　　図２
2004108097.tif 000002
【特許請求の範囲】
【請求項１】
居室部と屋根裏空間部と床下空間部とを備えた住宅において、熱交換器と吸気手段と排気手段とからなるシステム換気装置を備えており、排気手段における外気の吹出口にマイナスイオン発生装置のイオン化針を配設したことを特徴とする戸建て健康住宅。
【請求項２】
選択された吹出口にマイナスイオン発生装置のイオン化針を配設したことを特徴とする請求項１に記載の戸建て健康住宅。
【請求項３】
吹出口の全部にマイナスイオン発生装置のイオン化針を配設したことを特徴とする請求項１に記載の戸建て健康住宅。
【請求項４】
マイナスイオン発生装置は、電子放射式であることを特徴とする請求項１〜３のいずれか１項に記載の戸建て健康住宅。
【発明の詳細な説明】
【０００１】
【発明の属する技術分野】
この発明は、高気密、高断熱化されたシステム換気装置を備えた木造戸建て住宅に係り、特に、システム換気装置にマイナスイオン発生装置を組み込んだ戸建て健康住宅に関するものである。
【０００２】
【従来の技術】
近年、快適な温湿度の居住空間を確保し、また、冷暖房のエネルギーを節約するため、システム換気装置を備え、建築物の全体を高断熱化、高気密化する木造戸建て住宅が普及している。これらの戸建て住宅では、システム換気装置が用いられ、外部の新鮮な空気を熱交換器を介して取り込み、熱交換されて暖められた空気が、送風ファン及び送風ダクトを通じて１階居室部、２階居室部における複数の吹出口から吹き出す。
【０００３】
そして、居室部を循環した空気は、廊下や階段ホール等の天井に設けられた吸込口から吸引されて排気ダクトを通って排出される。１階居室部と２階居室部とは、それぞれ別個独立した排気装置を設けて換気している。また、室外側の壁外装材による仕上げ層との間に外壁通気層を備えている。これらの外壁通気層は、外壁の下端に設けられた空気流入口と仕上げ層の一階及び二階の庇に相応する部分に設けられた空気流入口を有しており、棟換気フードに連通している。前記外壁下端の空気流入口と庇の空気流入口とから流入した空気は、外壁通気層を通り、屋根裏空間を経て棟換気フードから流出する。
【０００４】
【発明が解決しようとする課題】
しかしながら、使用されている多くの電化製品や化学繊維、発達のめざましい多種多様な新建材等からは、非常に多くのプラスイオンが発生しており、生活環境がプラスイオン過多の状態になっている。特に、高気密、高断熱構造の密閉された空間にあっては、システム換気装置による強制循環によっても人体に悪影響を与えるおそれがある。このように、従来の高気密、高断熱構造の木造住宅にあっては、冷暖房のエネルギーを節約することができるものの、空気中のイオンバランスを整えるものではなかった。
【０００５】
そこで、この発明は、高気密、高断熱の構造を備えているものの、システム換気装置にマイナスイオン発生装置を組み込むことによって、イオンバランスを整え快適な居住空間を有する戸建て健康住宅を提供することを目的とする。
【０００６】
【課題を解決するための手段】
この目的を達成するため、この発明に係る戸建て健康住宅は、次のような構成とした。即ち、居室部と屋根裏空間部と床下空間部とを備えた住宅において、熱交換器と吸気手段と排気手段とからなるシステム換気装置を備えており、排気手段における外気の吹出口にマイナスイオン発生装置のイオン化針を配設したことを特徴とする。このように、システム換気装置にマイナスイオン発生装置を組み込むことによって、発生したマイナスイオンを効率よく分散させることができ、館全体のイオンバランスを整えることができる。マイナスイオン発生装置のイオン化針は、選択された吹出口にのみ配設してもよいし吹出口の全部に配設してもよい。マイナスイオン発生装置は、電子放射式であることが好ましい。
【０００７】
【発明の実施の形態】
以下、図面を参照してこの発明の実施形態を説明する。参照する図面において、この発明の一実施形態に係る戸建て住宅について説明する。図１に示すように、この木造戸建て住宅は、布基礎１１上に土台１２が構築され、土台１２上に軸組構造としての柱１３が支持され、柱１３の上に屋根構造が支持されている。
【０００８】
床構造は、根太が格子状に組まれた床根太１４上に構造用合板からなる床材１５が敷設されている。この発明では、１階の居室と床下空間とは同じ温度になることから、通常使用されている床材下面の断熱材は不要である。また、壁構造は、柱１３の室内側に内装下地材２０を、柱１３の室外側に構造用面材２１をそれぞれ取り付けてなる。さらに、構造用面材２１の室外側に配設した通気胴縁２３に壁外装材２５を取り付けてなる。構造用面材２１の室外側には、壁外装材２５との間に外壁通気層２７となる隙間を有するように、硬質発泡樹脂断熱層２９を付設してなる。
【０００９】
また、屋根構造は、構造用面材２１ａの上面側に通気胴縁２３ａを配設し、通気胴縁２３ａに屋根野地板３１を設ける。そして、構造用面材２１ａと屋根野地板３１との間に屋根裏通気層３３を有するように硬質発泡樹脂断熱層２９ａを付設する。硬質発泡樹脂断熱層２９、２９ａは、現場発泡によって壁構造と屋根構造を連続して全体を覆うように、構造用面材２１，２１ａの全面に形成され、壁外装材２５との間に２０ｍｍ程度の外壁通気層２７及び屋根裏通気層３３を形成している。屋根野地板３１の上面には、アスファルトフェルト等の屋根下地材３５を介して屋根葺き材３７が敷設されている。
【００１０】
上記外壁通気層２７と屋根裏通気層３３とは連通している。、外壁通気層２７は、壁外装材２５の下端に設けられた空気流入口３９に連通している。空気流入口３９は、土台１２と壁外装材２５との間に取り付けられた多孔性の通気部材によって形成されている。一方、屋根裏通気層３３は、屋根の最高位置部分に設けられた棟換気フード４０の空気流出口４１に連通している。屋根下地材３１の下端は壁外装材２５の上端と連結しており、外壁通気層２７と屋根裏通気層３３とは完全に密封された通気層を形成している。従って、空気流入口３９から流入した空気は、外壁通気層２７，屋根裏通気層３３を通り、空気流出口４１から流出する。
【００１１】
上記構成において、屋根葺き材３７の方がより加熱されて高温になるから、通気層内の空気は上昇し空気流出口４１から排出される。壁外装材２５，屋根葺き材３７が高温になるほど空気流入口３９からの流入量が多くなるから、空気流入口３９から流入した空気は、室内側への熱の遮断効果を上げることができる。
【００１２】
次に、システム換気装置の実施形態について説明する。図１に示すように、２階天井４３の上面の屋根裏空間部４５には、熱交換器４７，吸気ファンを備えた吸気手段４９及び排気ファンを備えた排気手段５０が配設されている。前記熱交換器４７には、屋外に開口する吸気ダクト５１と排気ダクト５３が連結されており、前記熱交換器４７と吸気手段４９及び排気手段５０との間には、それぞれ吸気管５５及び排気管５７が連結されている。
【００１３】
前記熱交換器４７には、２階天井４３に配設した吹出口６０に連結する空気供給管６１と、１階天井６３に配設した吹出口６５に連結する空気供給管６７とが連結されている。また、前記熱交換器４７には、２階の適所に配設した複数の吸込口６８、６９等に連結する空気排出管７０と、床下空間部に開口する空気排出管７１とが連結されている。尚、熱交換器４７、吸気手段４９及び排気手段５０は、一体型であってもよく、あるいは、吸気手段４９と排気手段５０を一台のモータで駆動する一体型としてもよい。
【００１４】
前記吹出口６０は、例えば、２階から１階に下る階段の下り口にある階段ホールの天井面に設けることができ、吹出口６５は、玄関ホールの天井面に設けることができる。吹出口６０から吹き出された新鮮な空気は、各部屋の開口部から入り込み、各吸込口６８、６９等から吸い込まれて外部へ排出される。また、吹出口６５から吹き出された新鮮な空気は、各部屋の開口部から入り込み、床面に設けた通気口から床下空間部に吸引され、空気排出管７１によって外部へ排出される。
【００１５】
上記構成において、各吹出口６０，６５から吹き出された新鮮な空気（外気）が、空間全体に万遍なく流通するようにするには、例えば、クローゼット等では、引き違い式の戸下部に複数のスリットによる通気部を形成しておき、天井面には、部屋の空気を外部へ排出するための吸込口を設けるようにすればよい。また、屋根裏空間部４５も床下空間部と同様に構成することができる。即ち、２階居室部の吸込口の部分を通気口として屋根裏空間部４５と連通させ、屋根裏空間部４５に流入した空気に淀みを生じさせることなく、最も効率の良い位置に空気排出管７０の開口を配設させ、２階居室部から流入した空気を換気すればよい。
【００１６】
次に、この発明に係るマイナスイオン発生装置のシステム換気装置への組み込みについて説明する。この発明に係るマイナスイオン発生装置７３は、新鮮な空気を吹き出す吹出口６０，６５に組み込まれる。マイナスイオン発生装置７３は先端が鋭角に尖ったマイナス電極のイオン化針７５と、高圧電源部７７とからなる。マイナスイオン発生装置７３の一部を構成する高圧電源部７７は、２階天井に接地され、イオン化針７５は、図２に示すように、吹出口６０の内部に配設されている。
【００１７】
前記イオン化針７５は、マイナス電子を放射するための放電電極部で、先端が針のように尖っていて導電性を有する金属、例えば、放電によっても先端が丸くなりにくいチタンによって形成されている。イオン化針７５は、絶縁性を有する支持具７９から先端が突出している。前記支持具７９は、吹出口６０の内部に設けた支持杆８０に固定されている。前記イオン化針７５は、高圧配線８１を介して高圧電源ユニットによって構成された高圧電源部７７に接続されている。
【００１８】
マイナスイオン発生装置７３は、１階天井６３上に別途設置してもよい。吹出口６０の場合と同様に、その構成するイオン化針７５が吹出口６５内に配設される。このように、各吹出口にマイナスイオン発生装置７３のイオン化針を配設してもよいが、適宜選択して１以上の吹き出し口に配設してもよい。
【００１９】
上記のように、システム換気装置の吹出口にイオン化針７５を配設することによって、発生したマイナスイオンが空気の流れによって各部屋に流入するから、効率よく分散させることができる。マイナスイオンを空気と共に各部屋に流入させることによって、化学繊維や新建材から発生しているプラスイオンとのイオンバランスを整えることができ、快適で健康的な居住空間を得ることができる。
【００２０】
【発明の効果】
上述するところから明らかなように、この発明に係る戸建て健康住宅によれば、システム換気装置によって吹き出された空気は、部屋全体を循環しながら、効果的に換気することができる。また、システム換気装置における１以上の吹出口にマイナスイオンを放射するイオン化針を配設したから、発生したマイナスイオンは、吹き出された空気と共に、部屋全体、または館全体に行き渡ることになる。従って、マイナスイオンは、消臭と共に、新建材からでる有害物質を分解するので、イオンバランスが整えられ、健康的な戸建て住宅を得ることができる。
マイナスイオン発生装置とシステム換気装置とを組み合わせることによって、マイナスイオン発生装置を単独で使用した場合に比して、きわめて効率的である。
【図面の簡単な説明】
【図１】この発明の一実施形態に係る戸建て住宅の部分縦断面図である。
【図２】吹出口にイオン化針を配設した実施形態の要部断面図である。
【符号の説明】
１１：布基礎
１２：土台
１３：柱
１４：床根太
１５：床材
１８：断熱材
１９：土間
２０：内装下地材
２１、２１ａ：構造用面材
２３、２３ａ：通気胴縁
２５：壁外装材
２７：外壁通気層
２９、２９ａ：硬質発泡樹脂断熱層
３１：屋根野地板
３３：屋根裏通気層
３５：屋根下地材
３７：屋根葺き材
３９：空気流入口
４０：棟換気フード
４１：空気流出口
４３：２階天井
４５：屋根裏空間部
４７：熱交換器
４９：吸気手段
５０：排気手段
５１：吸気ダクト
５３：排気ダクト
５５：吸気管
５７：排気管
６０：２階吹出口
６１：２階空気供給管
６３：１階天井
６５：１階吹出口
６７：１階空気供給管
６８、６９：２階吸込口
７０：空気排出管
７１：空気排出管
７３：マイナスイオン発生装置
７５：イオン化針
７７：高圧電源部
７９：支持具
８０：支持杆
８１：高圧配線
【図１】
2004108097.tif 000003
【図２】
2004108097.tif 000004